(57)【要約】【課題】多数の端子が配列された基板において、端子の数や位置を容易に把握可能な基板の接続構造、この接続構造を備えた電気光学装置、および電子機器を提供すること。【解決手段】電気光学装置において、剛性基板１０に形成されている第１の基板間導通端子１９、剛性基板２０に形成されている第２の基板間導通端子２９、可撓性基板９０に形成されている端子９１、９２は、それぞれ同一の形態をもって等ピッチ間隔で形成されている。これに対して、剛性基板２０に形成されている端子２６、２７では、５つ目毎に位置する端子２６′、２７′については端部が短くなっており、同じ剛性基板２０の他の部分に形成されている端子２６、２７とは形態が相違している。【選択図】　　　図４
2004096049.tif 000002
【特許請求の範囲】
【請求項１】
多数の第１の端子が略等ピッチ間隔で配列する第１の基板と、多数の第２の端子が略等ピッチ間隔で配列する第２の基板と、前記第１の基板と前記第２の基板との重なり部分で前記第１の端子と前記第２の端子とが直接あるいは導電材を介して電気的に接続された基板の接続構造において、
前記第１の端子および前記第２の端子のうち、少なくとも一方の端子では、当該端子の区切り部分に位置する端子の形態が同一基板上の他の部分の端子の形態と相違していることを特徴とする基板の接続構造。
【請求項２】
請求項１において、前記第１の基板は、剛性基板であり、前記第２の基板は、可撓性基板であることを特徴とする基板の接続構造。
【請求項３】
請求項１において、前記第１の基板および前記第２の基板は、いずれも剛性基板であることを特徴とする基板の接続構造。
【請求項４】
請求項１ないし３のいずれかにおいて、前記区切り部分は、前記端子を所定の数毎に区切る部分であることを特徴とする基板の接続構造。
【請求項５】
請求項１ないし３のいずれかにおいて、前記区切り部分は、前記端子に供給される信号の種類が異なる部分を示す区切りであることを特徴とする基板の接続構造。
【請求項６】
請求項１ないし５のいずれかにおいて、前記区切り部分に位置する端子は、前記他の部分に位置する端子よりも端部が短いことにより形態が相違していることを特徴とする基板の接続構造。
【請求項７】
請求項１ないし５のいずれかにおいて、前記区切り部分に位置する端子は、隣接する端子との連結部を備えていることにより、前記他の部分に位置する端子と形態が相違していることを特徴とする基板の接続構造。
【請求項８】
請求項１ないし７のいずれかにおいて、前記第１の端子と前記第２の端子とは、樹脂成分中に導電粒子が分散している導通材によって電気的に接続されていることを特徴とする基板の接続構造。
【請求項９】
請求項１ないし８のいずれかに規定する接続構造を備えた電気光学装置であって、
前記第２の基板を介して前記第１の基板に供給された信号によって前記第１の基板によって保持されている電気光学物質を画素毎に駆動することを特徴とする電気光学装置。
【請求項１０】
請求項１ないし８のいずれかに規定する接続構造を備えた電気光学装置であって、
前記第１の基板と前記第２の基板とは、電気光学物質を挟んで対向配置されていることを特徴とする電気光学装置。
【請求項１１】
請求項９または１０に規定する電気光学装置を有することを特徴とする電子機器。
【発明の詳細な説明】
【０００１】
【発明の属する技術分野】
本発明は、基板の接続構造、この接続構造を備えた電気光学装置、および電子機器に関するものである。
【０００２】
【従来の技術】
各種の電気光学装置のうち、パッシブマトリクス型の液晶装置では、図１７に示すように、石英基板やガラス基板などの一対の剛性基板１０、２０が所定の間隙を介して対向配置され、これらの基板間に電気光学物質としての液晶が保持されている。剛性基板１０、２０において対向する面には、互いに交差する方向にストライプ状の駆動電極が形成されており、剛性基板１０に形成されている駆動電極と、剛性基板２０に形成されている駆動電極との交点に相当する位置に画素がマトリクス状に構成されている。
【０００３】
これらの駆動電極に信号を供給するにあたって、図１７に示すものでは、駆動用ＩＣ５０がＣＯＦ実装された可撓性基板９０を剛性基板２０に接続した構成が採用されている。このため、剛性基板２０の上面には多数の端子２１が等ピッチ間隔で形成されている一方、可撓性基板９０の下面では、剛性基板２０の端子２１に電気的に接続される多数の端子９９が等ピッチ間隔で形成されている（例えば、特許文献１参照）。
【０００４】
【特許文献１】
特開２００２−３２０３０号公報（第７頁、図１−図２）
【０００５】
【発明が解決しようとする課題】
このように、パッシブマトリクス型の液晶装置では、剛性基板２０には、ストライプ状の駆動電極の数に相当する多数の端子２１が等ピッチ間隔で形成され、かつ、端子２１の数は、表示品位の向上を目的とした画素数の増加に伴って増加していく傾向にある。このため、液晶装置を形成する際、端子２１の数を数えるにも多大な手間がかかるという問題点もある。また、剛性基板２０において駆動電極や端子２１について短絡の有無などを電気的に試験した際、例えば、不具合のあった端子２１がいずれの位置にあるか、特定するのにも多大な手間がかかるという問題点がある。このような問題点は、可撓性基板９０に形成されている端子９９などについても同様である。
【０００６】
以上の問題点に鑑みて、本発明の課題は、多数の端子が配列された基板において、端子の数や位置を容易に把握可能な基板の接続構造、この接続構造を備えた電気光学装置、および電子機器を提供することにある。
【０００７】
【課題を解決するための手段】
上記課題を解決するために、本発明では、多数の第１の端子が略等ピッチ間隔で配列する第１の基板と、多数の第２の端子が略等ピッチ間隔で配列する第２の基板と、前記第１の基板と前記第２の基板との重なり部分で前記第１の端子と前記第２の端子とが直接あるいは導電材を介して電気的に接続された基板の接続構造において、前記第１の端子および前記第２の端子のうち、少なくとも一方の端子では、当該端子の区切り部分に位置する端子の形態が同一基板上の他の部分の端子の形態と相違していることを特徴とする。
【０００８】
本発明では、第１の基板あるいは第２の基板において略等ピッチ間隔で配列している多数の端子のうち、端子の区切り部分に位置する端子の形態が同一基板上の他の部分の端子の形態と相違している。このため、端子の数が増大した場合でも、端子の数や位置を容易に把握することができる。
【０００９】
本発明は、前記第１の基板が剛性基板で、前記第２の基板が可撓性基板である場合、前記第１の基板および前記第２の基板のいずれも剛性基板である場合のいずれの場合にも適用することができる。
【００１０】
本発明において、前記区切り部分は、前記端子を所定の数毎に区切る部分である。
【００１１】
本発明において、前記区切り部分は、端子に供給される信号の種類が異なる部分を示す区切りである。このように構成すると、端子の数が増大した場合でも、端子の数や位置を容易に把握することができるとともに、基板上に配列されている多数の端子に対して、いずれの種類の信号が供給される端子かを容易に判別できる。
【００１２】
本発明において、前記区切り部分に位置する端子は、前記他の部分に位置する端子よりも端部が短いことにより形態が相違している構成を採用することができる。
【００１３】
また、隣接する２本の端子のいずれにも同一の信号が供給される場合には、前記区切り部分に位置する端子は、隣接する端子との連結部を備えていることにより、前記他の部分に位置する端子と形態が相違している構成を採用することもある。
【００１４】
本発明において、前記第１の端子と前記第２の端子とは、例えば、樹脂成分中に導電粒子が分散している導通材によって電気的に接続されている。
【００１５】
本発明に係る接続構造は、例えば、前記第２の基板を介して前記第１の基板に供給された信号によって前記第１の基板によって保持されている電気光学物質を画素毎に駆動する電気光学装置に適用することができる。
【００１６】
また、本発明に係る接続構造は、前記第１の基板と前記第２の基板が電気光学物質を挟んで対向配置されている電気光学装置に適用することができる。
【００１７】
本発明に係る電気光学装置は、携帯電話機、モバイルコンピュータなどの電子機器に搭載される。
【００１８】
【発明の実施の形態】
図面を参照して、本発明に係る剛性基板と可撓性基板との接続構造をパッシブマトリクス型電気光学装置に適用した例を中心に説明する。
【００１９】
［実施の形態１］
（全体構成）
図１および図２はそれぞれ、本発明を適用した電気光学装置の斜視図、および分解斜視図である。図３は、本発明を適用した電気光学装置を図１のＩ−Ｉ′線で切断したときのＩ′側の端部の断面図である。図４は、本発明の実施の形態１に係る基板の接続構造を説明するために、一対の剛性基板の各辺部分、および可撓性基板の端縁部分を拡大して模式的に示す説明図である。なお、図１ないし図４などでは、電極パターンおよび端子などを模式的に示してあるだけであり、実際の電気光学装置では、より多数の電極パターンや端子が形成されている。
【００２０】
図１および図２において、本形態の電気光学装置１は、携帯電話機などの電子機器に搭載されているパッシブマトリクスタイプの液晶表示装置である。この電気光学装置１では、所定の間隙を介してシール材３０によって貼り合わされた矩形の無アルカリガラス、耐熱ガラス、石英ガラスなどの一対の剛性基板１０、２０によってパネル１′が構成されている。パネル１′において、基板間には、シール材３０によって液晶封入領域３５が区画されているとともに、この液晶封入領域３５内に電気光学物質としての液晶３６が封入されている。
【００２１】
シール材３０は、基板間に液晶３６を注入するための注入口３２として一部が途切れているが、この注入口３２は、基板間に液晶３６を注入した後、塗布、硬化された封止材３１で塞がれている。
【００２２】
ここに示す電気光学装置１は透過型の例であり、剛性基板２０の外側表面に偏光板６１が貼られ、剛性基板１０の外側表面には偏光板６２が貼られている。また、剛性基板２０の外側にはバックライト装置９が配置されている。
【００２３】
剛性基板１０には、図３に示すように、第１の電極パターン１５と、剛性基板２０の第２の電極パターン２５との交点に相当する領域に赤（Ｒ）、緑（Ｇ）、青（Ｂ）のカラーフィルタ７Ｒ、７Ｇ、７Ｂが形成され、これらのカラーフィルタ７Ｒ、７Ｇ、７Ｂの表面側に絶縁性の平坦化膜１３、第１の電極パターン１５および配向膜１２がこの順に形成されている。また、各カラーフィルタ７Ｒ、７Ｇ、７Ｂの境界部分には、各カラーフィルタ７Ｒ、７Ｇ、７Ｂの下層側に遮光膜１６が形成されている。これに対して、剛性基板２０には、第２の電極パターン２５、オーバーコート膜２３、および配向膜２２がこの順に形成されている。
【００２４】
本形態の電気光学装置１において、第１の電極パターン１０および第２の電極パターン２５はいずれも、ＩＴＯ膜（Ｉｎｄｉｕｍ　Ｔｉｎ　Ｏｘｉｄｅ）に代表される透明導電膜によって形成されている。なお、第２の電極パターン２５の下に絶縁膜を介してパターニングされたアルミニウム等の膜を薄く形成すれば、半透過・半反射型の電気光学装置を構成できる。さらに、偏向板６１に半透過反射板をラミネートすることでも半透過・半反射型の電気光学装置１を構成できる。さらにまた、第２の電極パターン２５の下に反射性の膜を配置すれば、反射型の電気光学装置を構成でき、この場合には、剛性基板２０の裏面側からバックライト装置９を省略すればよい。
【００２５】
再び図１および図２において、本形態の電気光学装置１では、外部からの信号入力および基板間の導通のいずれを行うにも、剛性基板１０、２０の同一方向に位置する各基板辺１０１、２０１付近に形成されている第１の端子形成領域１０２および第２の端子形成領域２０２が用いられる。ここで、剛性基板２０としては、剛性基板１０よりも大きな基板が用いられ、剛性基板１０、２０を貼り合わせたときに剛性基板１０の基板辺１０１から剛性基板２０が張り出す部分２０５を利用して、駆動用ＩＣ５０をＣＯＦ実装したフレキシブル基板９０の接続が行われる。
【００２６】
図１、図２および図３に示すように、剛性基板１０において、第１の端子形成領域１０２は、剛性基板１０の基板辺１０１の中央部分に沿って形成され、この第１の端子形成領域１０２では、基板辺１０１に沿って複数の第１の基板間導通端子１９が並んでいる。また、剛性基板１０では、第１の基板間導通端子１９から対向する基板辺１０２に向かって複数列の液晶駆動用の第１の電極パターン１５が両側に斜めに延びた後、液晶封入領域３５内で基板辺１０１、１０２に直交する方向に延びている。
【００２７】
剛性基板２０において、第２の端子形成領域２０２も基板辺２０１に沿って形成され、第２の端子形成領域２０２には、その中央領域で基板辺２０１に沿って所定の間隔をもって並ぶ複数の第１の外部入力端子２６、およびこれらの第１の外部入力端子２６が形成されている領域の両側２箇所で基板辺２０１に沿って所定の間隔をもって並ぶ複数の第２の外部入力端子２７が形成されている。
【００２８】
ここで、第１の外部入力端子２６からは、剛性基板１０、２０を貼り合わせたときに第１の基板間導通端子１９と重なる複数の第２の基板間導通端子２９が基板辺２０２に向かって直線的に延びている。これに対して、第２の外部入力端子２７からは、剛性基板１０、２０を貼り合わせたときに第１の電極パターン１５の形成領域の両側に相当する領域を回り込むように複数列の液晶駆動用の第２の電極パターン２５が形成され、これらの第２の電極パターン２５は、液晶封入領域３５内において第１の電極パターン１５と交差するように延びている。
【００２９】
従って、剛性基板１０、２０をシール材３０で貼り合わせると、第１の電極パターン１５と第２の電極パターン２５との交点に相当する位置に画素が形成される。また、シール材３０において樹脂成分に導電粒子を配合しておき、シール材３０を第１の基板間導通端子１９と第２の基板間導通端子２９とが重なる領域にも塗布しておくと、導電粒子は、剛性基板１０、２０の間で押し潰された状態で第１の基板間導通端子１９と第２の基板間導通端子２９とを導通させる。
【００３０】
また、剛性基板２０の第２の端子形成領域２０２の基板辺２０１側の端部に対しては、可撓性基板９０を、樹脂成分に導電粒子が分散した異方性導電材などを用いて実装する。このため、可撓性基板９０の端縁９５には、剛性基板２０に形成されている外部入力端子２６、２７の各々に電気的に接続される端子９１、９２が形成されている。
【００３１】
それ故、可撓性基板９０を介して剛性基板２０の第１の外部入力端子２６および第２の外部入力端子２７に信号入力すると、剛性基板２０に形成されている第２の電極パターン２５には第２の外部入力端子２７を介して走査信号を直接、印加することができる。また、剛性基板１０に形成されている第１の電極パターン１５には、第１の外部入力端子２６、第２の基板間導通端子２９、導通材および第１の基板間導通端子１９を介して画像データを信号入力することができる。よって、これらの画像データおよび走査信号によって、各画素において第１の電極パターン１５と第２の電極パターン２５との間に位置する液晶の配向状態を制御することができるので、所定の画像を表示することができる。
【００３２】
（端子の形態）
このように構成した電気光学装置１において、本形態では、図４からわかるように、剛性基板１０に形成されている第１の基板間導通端子１９（本発明における第１の基板）、剛性基板２０に形成されている第２の基板間導通端子２９、可撓性基板９０（本発明における第２の基板）に形成されている端子９１、９２（本発明における第２の端子）は、それぞれ同一の形態をもって等ピッチ間隔で形成されている。
【００３３】
一方、剛性基板２０に形成されている外部入力端子２６、２７（本発明における第１の端子）も等ピッチ間隔で形成されているが、外部入力端子２６、２７のうち、図面に向かって左側から５つ目毎に位置する端子２６′、２７′については端部が短くなっており、同じ剛性基板２０の他の部分に形成されている外部入力端子２６、２７とは形態が相違している。このため、剛性基板２０では、表示品位の向上を目的とした画素数の増加に伴って、端子２６、２７の数が増加したとしても、端子２６′、２７′を指標にして外部入力端子２６、２７の数や位置を容易に把握することができる。
【００３４】
（基板の接続方法）
図５（Ａ）〜（Ｄ）は、本発明を適用した電気光学装置を製造する際に、剛性基板に可撓性基板を熱圧着する方法を示す説明図である。
【００３５】
本形態の電気光学装置１を製造するにあたって、可撓性基板９０を剛性基板２０に接続する際には、図５（Ａ）に示すように、剛性基板２０が載置されるステージ２１０、および可撓性基板９０を吸着、保持するヘッド２２０を備えた熱圧着装置２００が用いられる。ここで、剛性基板２０は、図１に示すように、剛性基板１０、２０を貼り合わせたパネル１′の状態で可撓性基板９０の接続が行われるが、図５には、剛性基板２０のみを図示してある。
【００３６】
熱圧着装置２００において、可撓性基板９０と剛性基板２０とを異方性導電材を用いて接続するには、まず、図５（Ｂ）に示すように、ステージ１０上に剛性基板２０を載置した後、外部入力端子２６、２７が形成されている領域に異方性導電材８０を塗布し、あるいはシート状の異方性導電材８０を被せる一方、ヘッド２２０によって可撓性基板９０を吸着、保持する。
【００３７】
ここで、ヘッド２２０は、ヒータ（図示せず）を内蔵しており、図５（Ｃ）に示すように、可撓性基板９０を介して異方性導電材８０を加熱してその樹脂成分を溶融させながら、可撓性基板９０を剛性基板２０に向けて加圧する。その結果、異方性導電材８０に含まれていた導電粒子は、剛性基板２０の外部入力端子２６、２７と可撓性基板９０の端子９１、９２との間で押し潰された状態となって外部入力端子２６、２７と端子９１、９２とを電気的に接続する。そして、ヘッド２２０が離れて異方性導電材８０が冷えると、それに含まれている樹脂成分が固化し、図５（Ｄ）に示すように、剛性基板２０と可撓性基板９０とが接続される。
【００３８】
ここで、剛性基板２０に形成されている外部入力端子２６、２７のうち、図面に向かって左側から５つ目毎に位置する端子２６′、２７′については端部が短くなっているため、その分、可撓性基板９０と剛性基板２０との間に隙間が空いている。従って、熱圧着時、異方性導電材８０の余剰な樹脂成分は、端子２６′、２７′が短くなっている部分に流れ込んでくれる。それ故、可撓性基板９０と剛性基板２０は、樹脂成分の多寡に起因する凹凸が形成されることなく確実に接続される。
【００３９】
［実施の形態２］
図６は、本発明の実施の形態２に係る基板の接続構造を説明するために、一対の剛性基板の各辺部分、および可撓性基板の端縁部分を拡大して模式的に示す説明図である。なお、以下の説明において、実施の形態１と共通する部分には同一の符号を付して、それらの詳細な説明は省略する。
【００４０】
図６において、本形態の電気光学装置１では、剛性基板１０に形成されている第１の基板間導通端子１９、剛性基板２０（本発明における第１の基板）に形成されている外部入力端子２６、２７（本発明における第１の端子）、および第２の基板間導通端子２９は、それぞれ同一の形態をもって等ピッチ間隔で形成されている。
【００４１】
一方、可撓性基板９０（本発明における第２の基板）に形成されている端子９１、９２（本発明における第２の端子）も等ピッチ間隔で形成されているが、端子９１、９２のうち、図面に向かって左側から５つ目毎に位置する端子９１′、９２′については端部が短くなっており、同じ可撓性基板９０の他の部分に形成されている端子９１、９２とは形態が相違している。このため、可撓性基板９０において、表示品位の向上を目的とした画素数の増加に伴って、端子９１、９２の数が増加したとしても、端子９１′、９２′を指標にして端子９１、９２の数や位置を容易に把握することができる。
【００４２】
また、異方性導電材８０を介して可撓性基板９０と剛性基板２０とを熱圧着した際、異方性導電材８０の余剰な樹脂成分は、端子９１′、９２′が短くなっている部分に流れ込んでくれる。それ故、可撓性基板９０と剛性基板２０は、樹脂成分の多寡に起因する凹凸が形成されることなく確実に接続される。
【００４３】
［実施の形態３］
図７は、本発明の実施の形態３に係る基板の接続構造を説明するために、一対の剛性基板の各辺部分、および可撓性基板の端縁部分を拡大して模式的に示す説明図である。
【００４４】
図７において、本形態の電気光学装置１では、剛性基板１０（本発明における第１の基板）に形成されている第１の基板間導通端子１９（本発明における第１の端子）、剛性基板２０（本発明における第２の基板）に形成されている外部入力端子２６、２７、および可撓性基板９０に形成されている端子９１、９２は、それぞれ同一の形態をもって等ピッチ間隔で形成されている。
【００４５】
一方、剛性基板２０に形成されている第２の基板間導通端子２９（本発明における第２の端子）も等ピッチ間隔で形成されているが、第２の基板間導通端子２９のうち、図面に向かって左側から５つ目毎に位置する端子２９′については端部が短くなっており、同じ剛性基板２０の他の部分に形成されている第２の基板間導通端子２９とは形態が相違している。このため、剛性基板２０において、表示品位の向上を目的とした画素数の増加に伴って、第２の基板間導通端子２９の数が増加したとしても、端子２９′を指標にして第２の基板間導通端子２９の数や位置を容易に把握することができる。
【００４６】
また、シール材３０を介して剛性基板１０、２０を貼り合わせた際、シール材３０の余剰な樹脂成分は、端子２９′が短くなっている部分に流れ込んでくれる。それ故、剛性基板１０、２０は、樹脂成分の多寡に起因して基板間隔がばらつくことなく、確実に貼り合わされる。
【００４７】
［実施の形態４］
図８は、本発明の実施の形態４に係る基板の接続構造を説明するために、一対の剛性基板の各辺部分、および可撓性基板の端縁部分を拡大して模式的に示す説明図である。
【００４８】
図８において、本形態の電気光学装置１では、剛性基板２０（本発明における第２の基板）に形成されている外部入力端子２６、２７、第２の基板間導通端子２９（本発明における第２の端子）、および可撓性基板９０に形成されている端子９１、９２は、それぞれ同一の形態をもって等ピッチ間隔で形成されている。
【００４９】
一方、剛性基板１０（本発明における第１の基板）に形成されている第１の基板間導通端子１９（本発明における第１の端子）も等ピッチ間隔で形成されているが、第１の基板間導通端子１９のうち、図面に向かって左側から５つ目毎に位置する端子１９′については端部が短くなっており、同じ剛性基板１０の他の部分に形成されている第１の基板間導通端子１９とは形態が相違している。このため、剛性基板１０において、表示品位の向上を目的とした画素数の増加に伴って、第１の基板間導通端子１９の数が増加したとしても、端子１９′を指標にして第１の基板間導通端子１９の数や位置を容易に把握することができる。
【００５０】
また、シール材３０を介して剛性基板１０、２０を貼り合わせた際、シール材３０の余剰な樹脂成分は、端子１９′が短くなっている部分に流れ込んでくれる。それ故、剛性基板１０、２０は、樹脂成分の多寡に起因して基板間隔がばらつくことなく、確実に貼り合わされる。
【００５１】
［実施の形態５］
図９は、本発明の実施の形態５に係る基板の接続構造を説明するために、一対の剛性基板の各辺部分、および可撓性基板の端縁部分を拡大して模式的に示す説明図である。
【００５２】
図９において、本形態の電気光学装置１では、剛性基板１０に形成されている第１の基板間導通端子１９、剛性基板２０（本発明における第１の基板）に形成されている第２の基板間導通端子２９、および可撓性基板９０（本発明における第２の基板）に形成されている端子９１、９２（本発明における第２の端子）は、それぞれ同一の形態をもって等ピッチ間隔で形成されている。
【００５３】
一方、剛性基板２０（本発明における第１の基板）に形成されている外部入力端子２６、２７（本発明における第１の端子）も同一ピッチ間隔で形成されているが、第１の外部入力端子２６のうち、第２の外部入力端子２７が配列されている領域との区切り部分に位置する端子２６″については端部が短くなっており、同じ剛性基板２０の他の部分に形成されている端子２６、２７とは形態が相違している。このため、剛性基板９０において、表示品位の向上を目的とした画素数の増加に伴って、外部入力端子２６、２７の数が増加したとしても、端子２６″を指標にして外部入力端子２６、２７の数や位置を容易に把握することができる。
【００５４】
また、異方性導電材８０を介して可撓性基板９０と剛性基板２０とを熱圧着した際、異方性導電材８０の余剰な樹脂成分は、端子２６″が短くなっている部分に流れ込んでくれる。それ故、可撓性基板９０と剛性基板２０は、樹脂成分の多寡に起因する凹凸が形成されることなく確実に接続される。
【００５５】
さらに、端子２６″が形成されているのは、外部入力端子２６、２７に供給される信号の種類が異なる部分を示す区切りである。このため、いずれの種類の信号が供給される端子かを容易に判別できる。
【００５６】
［実施の形態６］
図１０および図１１はそれぞれ、本発明を適用した電気光学装置の斜視図、および分解斜視図である。図１２は、本発明の実施の形態８に係る基板の接続構造を説明するために、一対の剛性基板の各辺部分、および可撓性基板の端縁部分を拡大して模式的に示す説明図である。なお、以下の説明において、実施の形態１と共通する部分には同一の符号を付して図示することにして、それらの説明を省略する。
【００５７】
図１０および図１１に示すように、本形態の電気光学装置１もパッシブマトリクスタイプの液晶表示装置であり、無アルカリガラス、耐熱ガラス、石英ガラスなどの一対の剛性基板１０、２０間には、シール材３０によって液晶封入領域３５が区画されているとともに、この液晶封入領域３５内に電気光学物質としての液晶３６が封入されている。
【００５８】
本形態の電気光学装置１では、外部からの信号入力および基板間の導通のいずれを行うにも、剛性基板１０、２０の同一方向に位置する各基板辺１０１、２０１付近に形成されている第１の端子形成領域１０２および第２の端子形成領域２０２が用いられる。ここで、剛性基板２０としては、剛性基板１０よりも大きな基板が用いられ、剛性基板１０、２０を貼り合わせたときに剛性基板１０の基板辺１０１から剛性基板２０が張り出す部分２０５を利用して、駆動用ＩＣ５０がＣＯＧ実装されているとともに、この駆動用ＩＣ５０に信号を供給するためのフレキシブル基板９０の接続が行われている。
【００５９】
図１０、図１１、および図１２に示すように、剛性基板１０において、第１の端子形成領域１０２では、基板辺１０１に沿って複数の第１の基板間導通端子１９が所定の間隔をもって並んでいる。
【００６０】
一方、剛性基板２０において、第２の端子形成領域２０２では、多数の外部入力端子２８が所定の間隔をもって配列されている。また、剛性基板２０において、剛性基板１０、２０を貼り合わせたときに第１の基板間導通端子１９と重なる位置には、複数の第２の基板間導通端子２９が形成されている。さらに、外部入力端子２８が配列されている領域と、第２の基板間導通端子２９が配列されている領域との間には、駆動用ＩＣ５０が実装されたＩＣ実装領域５５が形成され、このＩＣ実装領域５５には、外部入力端子２８あるいは第２の基板間導通端子２９から延設されたＩＣ実装端子２４が形成されている。
【００６１】
このように構成した電気光学装置１において、可撓性基板９０を介して剛性基板２０の外部入力端子２８に信号や電源電位などを入力すると、これらの信号や電源電位は駆動用ＩＣ５０に入力される。その結果、駆動用ＩＣ５０から第２の電極パターン２５に走査信号が出力されるとともに、駆動用ＩＣ５０から出力された画像データは、第２の基板間導通端子２９、シール材３０中の導電粒子、および第１の基板間導通端子１９を介して、剛性基板１０に形成されている第１の電極パターン１５に出力される。
【００６２】
ここで、剛性基板１０に形成されている第１の基板間導通端子１９、剛性基板２０（本発明における第１の基板）に形成されている第２の基板間導通端子２９、およびＩＣ実装端子２４は、それぞれ所定の領域毎に同一の形態をもって等ピッチ間隔で形成されている。
【００６３】
一方、剛性基板２０（本発明における第１の基板）の外部入力端子２８も等ピッチ間隔で形成されているが、外部入力端子２８のうち、図面に向かって左側から５つ目毎に位置する端子２８′については、右側で隣接する端子２８′と連結部を備えており、同じ剛性基板２０の他の部分に形成されている外部入力端子２８とは形態が相違している。従って、剛性基板２０では、表示品位の向上を目的とした画素数の増加に伴って外部入力端子２８の数が増加したとしても、端子２８′を指標にして外部入力端子２８の数や位置を容易に把握することができる。
【００６４】
また、本形態では、隣接する２つの端子２８′を連結部２８″で接続したため、図面に向かって左側から５つ目毎に位置する端子２８′、およびそれに隣接する端子２８′については電気的に接続された状態にある。そこで、本形態では、連結部２８″で電気的に接続している２つの端子２８′については１つの端子とみなして、いずれにも可撓性基板９０の側から電源電位あるいはグランド電位を供給するようになっている。
【００６５】
また、本形態では、可撓性基板９０の端子９３も全体として等ピッチ間隔で形成されているが、端子９３のうち、剛性基板２０の端子２８′に電気的に接続される端子９３′については、同じ可撓性基板９０の他の端子９３′よりも太くして形態を異ならせてある。それ故、可撓性基板９０の側においても、端子９３の数が増加したとしても、端子９３の数や位置を容易に把握することができる。
【００６６】
［適用可能な電気光学装置の構成］
上記形態はいずれも、パッシブマトリクス型の液晶装置からなる電気光学装置に本発明を適用したが、図１３ないし図１５を参照して以下に説明するいずれの電気光学装置においても、電気光学物質を保持する剛性基板、およびそれに接続される可撓性基板に多数の端子が形成されているので、本発明を適用することができる。
【００６７】
図１３は、画素スイッチング素子として非線形素子を用いたアクティブマトリクス型液晶装置からなる電気光学装置の構成を模式的に示すブロック図である。図１４は、画素スイッチング素子として薄膜トランジスタ（ＴＦＴ）を用いたアクティブマトリクス型液晶装置からなる電気光学装置の構成を模式的に示すブロック図である。図１５は、電気光学物質として電荷注入型の有機薄膜を用いたエレクトロルミネセンス素子を備えたアクティブマトリクス型電気光学装置のブロック図である。
【００６８】
図１３に示すように、画素スイッチング素子として非線形素子を用いたアクティブマトリクス型液晶装置からなる電気光学装置１ａでは、複数の配線としての走査線５１ａが行方向に形成され、複数のデータ線５２ａが列方向に形成されている。走査線５１ａとデータ線５２ａとの各交差点に対応する位置には画素５３ａが形成され、この画素５３ａでは、液晶層５４ａと、画素スイッチング用のＴＦＤ素子５６ａ（非線形素子）とが直列に接続されている。各走査線５１ａは走査線駆動回路５７ａによって駆動され、各データ線５２ａはデータ線駆動回路５８ａによって駆動される。
【００６９】
このように構成した電気光学装置１ａにおいて、走査線駆動回路５７ａおよびデータ線駆動回路５８ａを備えた駆動用ＩＣを可撓性基板上に実装して、この可撓性基板を、画素５３ａが形成された剛性基板に接続する部分に本発明を適用してもよい。
【００７０】
また、剛性基板上に駆動用ＩＣをＣＯＧ実装した場合に、可撓性基板を剛性基板に接続して、可撓性基板から駆動用ＩＣに各種信号を供給するタイプの電気光学装置に本発明を適用してもよい。
【００７１】
図１４に示すように、画素スイッチング素子としてＴＦＴを用いたアクティブマトリクス型液晶装置からなる電気光学装置１ｂでは、マトリクス状に形成された複数の画素の各々に、画素端子９ｂ、および画素端子９ｂを制御するための画素スイッチング用のＴＦＴ３０ｂが形成されており、画素信号を供給するデータ線６ｂが当該ＴＦＴ３０ｂのソースに電気的に接続されている。データ線６ｂに書き込む画素信号は、データ線駆動回路２ｂから供給される。また、ＴＦＴ３０ｂのゲートには走査線３１ｂが電気的に接続されており、所定のタイミングで、走査線３１ｂにパルス的に走査信号が走査線駆動回路３ｂから供給される。画素端子９ｂは、ＴＦＴ３０ｂのドレインに電気的に接続されており、スイッチング素子であるＴＦＴ３０ｂを一定期間だけそのオン状態とすることにより、データ線６ｂから供給される画素信号を各画素に所定のタイミングで書き込む。このようにして画素端子９ｂを介して液晶に書き込まれた所定レベルの画素信号は、対向基板に形成された対向電極との間で一定期間保持される。
【００７２】
ここで、保持された画素信号がリークするのを防ぐことを目的に、画素端子９ｂと対向電極との間に形成される液晶容量と並列に蓄積容量７０ｂ（キャパシタ）を付加することがある。この蓄積容量７０ｂによって、画素端子９ｂの電圧は、例えば、ソース電圧が印加された時間よりも３桁も長い時間だけ保持される。これにより、電荷の保持特性は改善され、コントラスト比の高い表示を行うことのできる電気光学装置が実現できる。なお、蓄積容量７０ｂを形成する方法としては、容量を形成するための配線である容量線３２ｂとの間に形成する場合、あるいは前段の走査線３１ｂとの間に形成する場合もいずれであってもよい。
【００７３】
このように構成した電気光学装置１ｂにおいて、走査線駆動回路３ｂおよびデータ線駆動回路２ｂを備えた駆動用ＩＣを可撓性基板上に実装して、この可撓性基板を、画素が形成されたパネルの剛性基板に接続する部分に本発明を適用してもよい。
【００７４】
また、剛性基板上に駆動回路をＴＦＴで形成した場合に、可撓性基板を剛性基板に接続して、可撓性基板から駆動用回路に各種信号を供給するタイプの電気光学装置に本発明を適用してもよい。
【００７５】
図１５に示すように、電荷注入型有機薄膜を用いたエレクトロルミネセンス素子を備えたアクティブマトリクス型電気光学装置は、有機半導体膜に駆動電流が流れることによって発光するＥＬ（エレクトロルミネッセンス）素子、またはＬＥＤ（発光ダイオード）素子などの発光素子をＴＦＴで駆動制御するアクティブマトリクス型の表示装置であり、このタイプの表示装置に用いられる発光素子はいずれも自己発光するため、バックライトを必要とせず、また、視野角依存性が少ないなどの利点がある。
【００７６】
ここに示す電気光学装置１００ｐでは、複数の走査線３ｐと、この走査線３ｐの延設方向に対して交差する方向に延設された複数のデータ線６ｐと、これらのデータ線６ｐに並列する複数の共通給電線２３ｐと、データ線６ｐと走査線３ｐとの交差点に対応する画素１５ｐとが構成されている。データ線６ｐに対しては、シフトレジスタ、レベルシフタ、ビデオライン、アナログスイッチを備えるデータ線駆動回路１０１ｐが構成されている。走査線３ｐに対しては、シフトレジスタおよびレベルシフタを備える走査線駆動回路１０４ｐが構成されている。
【００７７】
また、画素１５ｐの各々には、走査線３ｐを介して走査信号がゲート電極に供給される第１のＴＦＴ３１ｐと、この第１のＴＦＴ３１ｐを介してデータ線６ｐから供給される画像信号を保持する保持容量３３ｐと、この保持容量３３ｐによって保持された画像信号がゲート電極に供給される第２のＴＦＴ３２ｐと、第２のＴＦＴ３２ｐを介して共通給電線２３ｐに電気的に接続したときに共通給電線２３ｐから駆動電流が流れ込む発光素子４０ｐとが構成されている。
【００７８】
ここで、発光素子４０ｐは、画素電極の上層側には、正孔注入層、有機エレクトロルミネッセンス材料層としての有機半導体膜、リチウム含有アルミニウム、カルシウムなどの金属膜からなる対向電極が積層された構成になっており、対向電極２０ｐは、データ線６ｐなどを跨いで複数の画素１５ｐにわたって形成されている。
【００７９】
このように構成した電気光学装置１ｐにおいて、走査線駆動回路１０４ｐおよびデータ線駆動回路１０１ｐを備えた駆動用ＩＣを可撓性基板上に実装して、この可撓性基板を、画素が形成されたパネルの剛性基板に接続する部分に本発明を適用してもよい。
【００８０】
また、剛性基板上に駆動回路をＴＦＴで形成した場合、あるいは駆動用ＩＣをＣＯＧ実装した場合に、可撓性基板を剛性基板に接続して、可撓性基板から駆動用回路や駆動用ＩＣに各種信号を供給するタイプの電気光学装置に本発明を適用してもよい。
【００８１】
また、上述した実施形態以外にも、電気光学装置として、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター等を用いた小型テレビ、デジタルマイクロミラーデバイス（ＤＭＤ）を用いた装置などの各種の電気光学装置に適用できる。
【００８２】
［その他の実施の形態］
なお、上記実施の形態では、異方性導電材を介して熱圧着する例を説明したが、端子と電極とを熱圧着して合金接合する場合で本発明を適用してもよい。
【００８３】
［電子機器への適用］
次に、本発明を適用した電気光学装置１００を備えた電子機器の一例を、図１６を参照して説明する。
【００８４】
図１６は、上記の電気光学装置と同様に構成された電気光学装置１００を備えた電子機器の構成を示すブロック図である。
【００８５】
図１６において、電子機器は、表示情報出力源１０００、表示情報処理回路１００２、駆動回路１００４、電気光学装置１００、クロック発生回路１００８、および電源回路１０１０を含んで構成される。表示情報出力源１０００は、ＲＯＭ（Ｒｅａｄ　Ｏｎｌｙ　Ｍｅｍｏｒｙ）、ＲＡＭ（Ｒａｎｄａｍ　Ａｃｃｅｓｓ　Ｍｅｍｏｒｙ）、光ディスクなどのメモリ、テレビ信号の画信号を同調して出力する同調回路などを含んで構成され、クロック発生回路１００８からのクロックに基づいて、所定フォーマットの画像信号を処理して表示情報処理回路１００２に出力する。この表示情報出力回路１００２は、たとえば増幅・極性反転回路、相展開回路、ローテーション回路、ガンマ補正回路、あるいはクランプ回路等の周知の各種処理回路を含んで構成され、クロック信号に基づいて入力された表示情報からデジタル信号を順次生成し、クロック信号ＣＬＫとともに駆動回路１００４に出力する。駆動回路１００４は、電気光学装置１００を駆動する。電源回路１０１０は、上述の各回路に所定の電源を供給する。
【００８６】
このような構成の電子機器としては、投射型液晶表示装置（液晶プロジェクタ）、マルチメディア対応のパーソナルコンピュータ（ＰＣ）、およびエンジニアリング・ワークステーション（ＥＷＳ）、ページャ、あるいは携帯電話、ワードプロセッサ、テレビ、ビューファインダ型またはモニタ直視型のビデオテープレコーダ、電子手帳、電子卓上計算機、カーナビゲーション装置、ＰＯＳ端末、タッチパネルなどを挙げることができる。
【００８７】
【発明の効果】
以上説明したように、本発明では、第１の基板あるいは第２の基板において略等ピッチ間隔で配列している多数の端子のうち、端子の区切り部分に位置する端子の形態が同一基板上の他の部分の端子の形態と相違している。このため、端子の数が増大した場合でも、端子の数や位置を容易に把握することができる。
【図面の簡単な説明】
【図１】本発明の実施の形態１に係る電気光学装置の斜視図である。
【図２】図１に示す電気光学装置の分解斜視図である。
【図３】図１に示す電気光学装置を図１のＩ−Ｉ′線で切断したときのＩ′側の端部の断面図である。
【図４】本発明の実施の形態１に係る基板の接続構造を説明するために、一対の剛性基板の各辺部分、および可撓性基板の端縁部分を拡大して模式的に示す説明図である。
【図５】（Ａ）〜（Ｄ）は、本発明の実施の形態１に係る電気光学装置を製造する際に、剛性基板に可撓性基板を熱圧着する方法を示す説明図である。
【図６】本発明の実施の形態２に係る基板の接続構造を説明するために、一対の剛性基板の各辺部分、および可撓性基板の端縁部分を拡大して模式的に示す説明図である。
【図７】本発明の実施の形態３に係る基板の接続構造を説明するために、一対の剛性基板の各辺部分、および可撓性基板の端縁部分を拡大して模式的に示す説明図である。
【図８】本発明の実施の形態４に係る基板の接続構造を説明するために、一対の剛性基板の各辺部分、および可撓性基板の端縁部分を拡大して模式的に示す説明図である。
【図９】本発明の実施の形態５に係る基板の接続構造を説明するために、一対の剛性基板の各辺部分、および可撓性基板の端縁部分を拡大して模式的に示す説明図である。
【図１０】本発明の実施の形態６に係る電気光学装置の斜視図である。
【図１１】図１０に示す電気光学装置の分解斜視図である。
【図１２】本発明の実施の形態６に係る基板の接続構造を説明するために、一対の剛性基板の各辺部分、および可撓性基板の端縁部分を拡大して模式的に示す説明図である。
【図１３】画素スイッチング素子として非線形素子を用いたアクティブマトリクス型液晶装置からなる電気光学装置の構成を模式的に示すブロック図である。
【図１４】画素スイッチング素子として薄膜トランジスタ（ＴＦＴ）を用いたアクティブマトリクス型液晶装置からなる電気光学装置の構成を模式的に示すブロック図である。
【図１５】電気光学物質として電荷注入型の有機薄膜を用いたエレクトロルミネセンス素子を備えたアクティブマトリクス型表示装置のブロック図である。
【図１６】電気光学装置を備えた電子機器の構成を示すブロック図である。
【図１７】従来の電気光学装置の斜視図である。
【符号の説明】
１　電気光学装置
１０、２０　剛性基板
１５　第１の電極パターン
１９、１９′　第１の基板間導通端子
２４　ＩＣ実装端子
２５　第２の電極パターン
２６、２６′、２６″　第１の外部入力端子
２７、２７′　第２の外部入力端子
２８、２８′　外部入力端子
２８″　連結部
２９、２９′　第２の基板間導通端子
５０　駆動用ＩＣ
５５　ＩＣ実装領域
８０　異方性導電材
９０　可撓性基板
９１、９１′、９２、９２′、９３、９３′　端子
【図１】
2004096049.tif 000003
【図２】
2004096049.tif 000004
【図３】
2004096049.tif 000005
【図４】
2004096049.tif 000006
【図５】
2004096049.tif 000007
【図６】
2004096049.tif 000008
【図７】
2004096049.tif 000009
【図８】
2004096049.tif 000010
【図９】
2004096049.tif 000011
【図１０】
2004096049.tif 000012
【図１１】
2004096049.tif 000013
【図１２】
2004096049.tif 000014
【図１３】
2004096049.tif 000015
【図１４】
2004096049.tif 000016
【図１５】
2004096049.tif 000017
【図１６】
2004096049.tif 000018
【図１７】
2004096049.tif 000019